(57)【要約】【課題】特に、小型化および携帯性が求められる記録装置において、記録ヘッドの機能を維持するための回復処理に用いて好適な簡易な構成のピストンポンプを提供すること。【解決手段】ピストン軸６２６に設けられた連続する螺旋状の溝６２６Ａに、制御環に取り付けられた舟形６３８を嵌合させることにより、制御環の回転運動をピストン軸６２６の直線運動に変換する。【選択図】        図５
2004232609.tif 000002
【特許請求の範囲】
【請求項１】
回転体の回転力によって、ピストン軸を介してシリンダ内のピストンを往復動作させるピストンポンプにおいて、
前記ピストン軸は、その軸線を中心とする回転を不可能とし、
前記回転体は、前記ピストン軸の軸線を中心として回転可能とし、
前記ピストン軸の周部と前記回転体の周部との対向位置の一方に、一部が交差するように連続する螺旋状の溝を設け、かつ他方に、前記溝と相対移動可能に嵌合する突起を設けることにより、前記回転体の少なくとも一方向の回転運動を前記ピストン軸の往復直線運動する変換する
ことを特徴とするピストンポンプ。
【発明の詳細な説明】
【０００１】
【発明の属する技術分野】
本発明は、回転駆動力によってピストンが往復動作するピストンポンプに関し、特に、小型化および携帯性が求められる記録装置において、記録ヘッドの機能を維持するための回復処理に用いて好適なピストンポンプに関するものである。
【０００２】
【従来の技術】
プリンタ、複写機、ファクシミリ等の機能を有する記録装置、あるいはコンピューターやワードプロセッサ等を含む複合型電子機器やワークステーション等の出力機器として用いられる記録装置は、画像情報に基づいて、用紙やプラスチック薄板等の被記録材（記録媒体）に画像を記録するように構成されている。このような記録装置は、記録方式により、インクジェット式、ワイヤドット式、サーマル式、レーザービーム式等に分けることができる。
【０００３】
また、記録装置には、被記録材の搬送方向（副走査方向）と交叉する方向（主走査方向）に記録ヘッド（記録手段）が走査する、いわゆるシリアルスキャン方式を採るシリアルタイプのものがある。このタイプの記録装置においては、被記録材に沿って主走査方向に移動するキャリッジ上に記録ヘッドが搭載され、被記録材を所定の記録位置にセットした後、キャリッジと共に記録ヘッドを主走査方向に移動させつつ１行分の画像を記録する。そして、その１行分の記録を終了した後、被記録材を所定量だけ副走査方向に搬送してから、その後、再び停止した被記録材に対して次の１行分の画像を記録する。このような記録動作と搬送動作とを繰り返すことにより、被記録材の記録領域全体に渡って記録が行われる。
【０００４】
また、記録装置としては、記録ヘッドの主走査方向の移動を伴わずに記録をする、いわゆるラインタイプのものがある。このタイプの記録装置は、被記録材の記録領域の全幅に渡って延在する長尺の記録ヘッドを用い、被記録材を所定の記録位置にセットしてから、被記録材を副走査方向に搬送しつつ記録ヘッドによって画像を連続的に記録する。
【０００５】
このような記録装置の内、インクジェット方式の記録装置（インクジェット記録装置）は、記録手段（記録ヘッド）から被記録材にインクを吐出することによって記録を行うものである。インクジェット方式の記録装置は、記録手段のコンパクト化が容易であること、高精細な画像を高速で記録することができること、普通紙に特別な処理を必要とせずに記録することができること、ランニングコストが安いこと、ノンインパクト方式であるため騒音が少ないこと、多色のインクを使用してカラー画像を記録することが容易であること、などの利点を有している。このような記録装置の内、被記録材の幅方向に多数の吐出口が配列したフルマルチタイプの記録手段（記録ヘッド）を用いるライン型のものは、記録の一層の高速化が可能である。また、特に、熱エネルギーを利用してインクを吐出するインクジェット式の記録手段（記録ヘッド）は、エッチング、蒸着、スパッタリング等の半導体製造プロセスを経て、基板上に製膜された電気熱変換体、電極、液路壁、天板などを形成することにより、インクの吐出口および液路を高密度に配置することができて、一層のコンパクト化を図ることができる。
【０００６】
ところで、インクジェット記録装置では、一般に、安定したインクの吐出機能を維持または回復するために回復動作（回復処理）を行う。この回復動作としては、記録ヘッドの吐出口付近に付着した増粘インクや紙粉などを除去するためのワイピング、記録ヘッド内の増粘したインクや気泡を吐出口から吸引排出するための吸引回復動作、記録動作中に不使用ノズルから増粘したインクを吐出するための予備吐出などがある。吸引回復動作によっては、画像の記録に寄与しないインクが大量に吸引排出されて廃インクとなる。吸引回復動作は、負圧を利用して吐出口から強制的にインクを吸引排出させる動作であり、この吸引回復動作を行うための回復装置には、負圧を発生するためのポンプが備えられる。そのポンプとしては、チューブをコロで押し潰すタイプの所謂チューブポンプや、シリンダ内をピストンが移動するピストンポンプなどが使用されている。
【０００７】
図１０は、記録装置の回復装置に備わる従来のチューブポンプの一部切欠きの斜視図である。
【０００８】
コロホルダ１が回転して、そのコロホルダ１に回転自在に取り付けられたコロ２が、円筒形のチューブガイド３の内側に配置されたチューブ４をしごくことにより、そのチューブ４内に負圧が発生する。一般に、チューブ４をコロ２によって押し潰すタイプのチューブポンプは、チューブ４の座屈を防ぐために、チューブ４を半径２０ｍｍ程度の円筒形チューブガイド３に配置しなければならず、回復装置全体の小型化には向かない。しかし、チューブポンプは、吸引量や吸引速度等を制御によって変更しやすいというメリットがある。一方、ピストンポンプには、内径１０ｍｍ程度のシリンダを用いて構成するために、小型化に向くというメリットがある。
【０００９】
一方、ピストンポンプは、ピストン軸の往復運動により負圧を発生、解除させる構成になっているため、従来より、ピストンポンプの駆動機構には、駆動源としてのモータからの回転運動を往復運動に変換する様々な変換機構が組込まれている。
【００１０】
図１１および図１２は、ピストンポンプにおけるシリンダ６２４内のピストン６２５を往復動作させるためのカム機構として、異なる構成例を説明するための斜視図である。
【００１１】
図１１のカム機構においては、カム５の回転軸とピストン軸６２６とが直交しており、図１２のカム機構においては、カム５の回転軸とピストン軸６２６とが平行である。ピストン軸６２６は、シリンダ６２４等によって往復運動のみが可能となっている。カム５が一方向に回転し続けることにより、カム５から突起部６を介してピストン軸６２６に駆動力が作用し、そのピストン軸６２６が往復動作を繰り返す。これら図１１および図１２のカム機構は、いずれもカム部分がポンプ部部よりも大きくなりやすい構成とはなるものの、駆動方法は単純である。
【００１２】
図１３は、ピストンポンプにおけるシリンダ６２４内のピストン６２５を往復動作させるための機構として、図１１および図１２とは異なる構成例を説明するための部分断面図である。
【００１３】
図１３において、矢印Ａ１，Ｂ１方向に往復動作可能なピストン軸６２６は、その軸線を中心として回転不可能とされている。ピストン軸６２６にはスクリュー溝７が設けられ、またスクリュー用カム８にはスクリュー溝７に嵌合する突起が設けられており、カム８の回転方向に応じてピストン軸６２６が往復動作する。つまり、カム８が一方向に回転することによりピストン軸６２６が矢印Ａ１方向に移動し、カム８が他方向に回転することによりピストン軸６２６が矢印Ｂ１方向に移動する。このようなスクリュー機構を使用することにより、カム８の小型化が可能となるものの、ピストン軸６２６を往復動させるためにはカム８の往復回転が必要となり、その回転量を制御する必要もあって駆動方法が複雑になりやすいという問題がある。
【００１４】
【発明が解決しようとする課題】
近年、インクジェット記録装置に対しては、その小型化および携帯性機能の向上が求められている。このような要求に応えるためには、装置本体の高さ（厚み）を抑える必要がある。したがって、小型化が可能なピストンポンプの有用性が増し、さらに従来機以上の小型化を実現しつつ、その駆動機構部の構成を簡略化する必要がある。
【００１５】
本発明の目的は、特に、小型化および携帯性が求められる記録装置において、記録ヘッドの機能を維持するための回復処理に用いて好適な簡易な構成のピストンポンプを提供することにある。
【００１６】
【課題を解決するための手段】
本発明のピストンポンプは、回転体の回転力によって、ピストン軸を介してシリンダ内のピストンを往復動作させるピストンポンプにおいて、前記ピストン軸は、その軸線を中心とする回転を不可能とし、前記回転体は、前記ピストン軸の軸線を中心として回転可能とし、前記ピストン軸の周部と前記回転体の周部との対向位置の一方に、一部が交差するように連続する螺旋状の溝を設け、かつ他方に、前記溝と相対移動可能に嵌合する突起を設けることにより、前記回転体の少なくとも一方向の回転運動を前記ピストン軸の往復直線運動する変換することを特徴とする。
【００１７】
【発明の実施の形態】
以下、本発明の実施形態を図面に基づいて説明する。
【００１８】
図１は、本実施形態におけるプリンタ（インクジェット記録装置）の本体の斜視図である。
【００１９】
本実施形態におけるプリンタ本体は、大別すると、自動給紙部１００、搬送部２００、排出部３００、記録部４００、および回復部６００等によって構成され、それらの機構部はシャーシ７０１を中心として組み付けられている。自動給紙部１００は、記録シート（被記録媒体）Ｐを装置本体内の搬送部２００へ自動的に給送する。搬送部２００は、自動給紙部１００から１枚ずつ送出される記録シートＰを所望の記録位置へ導くと共に、その記録シートＰを記録位置から排出する。排出部３００は、搬送部２００の下流に位置して、記録済みの記録シートＰを排出する。記録部４００は、搬送部２００に搬送された記録シートＰに所望の記録を行なう。回復部６００は、記録部４００等に対して後述する回復処理を行う。記録シートＰの搬送方向（副走査方向）は矢印Ａ方向であり、記録部４００の往復動作方向（主走査方向）は矢印Ｂ方向である。回復部６００に備わるピストンポンプ６４０は、そのピストン軸６２６（図３参照）が排紙ローラ３０１の端部に対して同軸上に直列に配置されており、ＬＦモータ２０６の駆動が排紙ローラ３０１を介してピストン軸６２６に伝達されることによって動作する。
【００２０】
図２は、ピストンポンプ６４０がプリンタ本体に配置された状態を説明するための要部の斜視図である。
【００２１】
排紙ローラ３０１の回転力をピストンポンプ６４０に伝達する駆動伝達部は、排紙ローラ３０１に巻き付けられたクラッチばね６３５（図３参照）、排紙ローラ３０１の軸上に回転自在に取り付けられたポンプ遅延カラー６３６、ピストン軸６２６（図３参照）上に回転自在に取り付けられた制御環６３７、制御環６３７上に巻き付けられた補助クラッチばね６４８、制御環６３７上に舟形ストッパ６４６によって押さえ付けられかつ回転自在に取り付けられた舟形６３８等によって構成される。舟形６３８は、制御環６３７の定位置に、ピストン軸６２６の軸線と直交する軸線Ｏを中心として回転自在に取り付けられている。
【００２２】
図３は、ピストンポンプ６４０がプリンタ本体に配置された状態を説明するための一部切欠きの斜視図である。
【００２３】
排紙ローラ３０１は、ＬＦモータ２０６の正転により矢印ａ方向に回転し、記録シートＰを搬送部２００から排出部３００へ送る。排紙ローラ３０１の端部に巻き付けられるクラッチばね６３５は、その排紙ローラ３０１の端部とポンプ遅延カラー６３６との間に介在する。矢印ａ方向はクラッチばね６３５が緩む方向となっている。そのため、矢印ａ方向に排紙ローラ３０１が回転したときは、その回転力はポンプ遅延カラー６３６には伝達されず、ピストンポンプ６４０は駆動されない。制御環６３７に巻き付けられた補助クラッチばね６４８は、その制御環６３７と外部の定位置との間に介在する。この補助クラッチばね６４８は、クラッチばね６３５を確実に緩ませるための調整負荷として備えられており、その巻き方向はクラッチばね６３５とは逆である。クラッチばね６３５の緩みトルクは補助クラッチばね６４８のしまりトルクよりも小さく、クラッチばね６３５のしまりトルクは、補助クラッチばね６４８の緩みトルクとピストンポンプ６４０の駆動トルクの和よりも大きく設定されている。
【００２４】
ＬＦモータ２０６の逆転により排紙ローラ３０１が矢印ｂ方向に回転したときは、その矢印ｂ方向がクラッチばね６３５をしめる方向であるため、クラッチばね６３５のアーム部６３５Ａがポンプ遅延カラー６３６の一方の突起６３６Ａに当たって、排紙ローラ３０１の回転力がポンプ遅延カラー６３６に伝達される。そして、ポンプ遅延カラー６３６が矢印ｂ方向に所定量回転して、その他方の突起６３６Ｂ（図２参照）が制御環６３７の突起６３７Ａに当たってから、ポンプ遅延カラー６３６と共に制御環６３７が矢印ｂ方向に回転する。したがって、ポンプ遅延カラー６３６が矢印ｂ方向に所定量回転してから、その他方の突起６３６Ｂがポンプ遅延カラー６３６の制御環６３７の突起６３７Ａに当たるまでの間は、制御環６３７は回転しない。つまり、制御環６３７は、排紙ローラ３０１が矢印ｂ方向の回転を開始したときに直ちに回転せず、排紙ローラ３０１が矢印ｂ方向に所定量回転してから、つまり所定量遅延してから矢印ｂ方向に回転する。このように、ポンプ遅延カラー６３６を用いて回転不感帯を設定した理由は、記録動作開始時に、搬送部２００によって記録シートＰを記録開始位置に搬送するために、ＬＦモータ２０６を少しだけ逆転させることがあるからであり、その少しの逆転の際には制御環６３７は回転せず、ピストンポンプ６４０は駆動されない。
【００２５】
図４および図５は、ピストンポンプ６４０のピストン部分の斜視図である。
【００２６】
ピストン軸６２６において、ピストン６２５が装着される端部とは反対側の端部には、連続した螺旋状の溝（スクリュー溝）６２６Ａが形成されている。この溝６２６Ａは、ピストン軸６２６の外周面を展開したときに８の字を描くように連続している。そのため、このように連続する溝６２６Ａには、交差する部分が１つ存在することになる。このような溝６２６Ａ内には、制御環６３７に装着された舟形６３８の先端部が摺動可能に嵌合している。その舟形６３８は、その先端部が嵌合する溝６２６Ａの部分の向きに応じて、軸線Ｏを中心として回転する。ピストン軸６２６に設けられたピストンピン６５１は、スリーブ６３９に設けられた溝６３９Ａによって矢印Ａ１，Ｂ１の軸線方向に往復移動可能にガイドされている。これにより、ピストン軸６２６は、その軸線を中心としては回転せずに、その軸線に沿う矢印Ａ１，Ｂ１方向の往復動作のみが可能となっている。
【００２７】
したがって、制御環６３７が定位置にて矢印ｂ方向に回転することにより、その制御環６３７と共に舟形６３８がピストン軸６２６の溝６２６Ａに嵌合したまま矢印ｂ方向に回転し、舟形６３８の先端部と溝６２６Ａは、その溝６２６Ａの延在方向に沿って相対移動する。この結果、舟形６３８が溝６２６Ａを押して、ピストン軸６２６を矢印Ａ１，Ｂ１方向に往復動作させる。つまり、制御環６３７と共に舟形６３８が矢印ｂ方向に連続的に回転することにより、舟形６３８の先端部が溝６２６Ａ内を連続的に移動して、ピストン軸６２６が矢印Ａ１，Ｂ１方向に往復動作する。このとき、ピストン軸６２６の位置をセンサによって検出することにより、ピストンポンプ６４０の吸引量等を制御することができる。
【００２８】
図６は、ピストンポンプ６４０のシリンダ６２４部分の構成を説明するための一部切欠きの斜視図である。
【００２９】
本例のピストンポンプ６４０は、円筒形のシリンダ６２４内をピストン６２５が移動することによって圧力を発生する。シリンダ６２４内には、ピストン軸６２６が図示矢印Ａ１、Ｂ１方向に往復移動可能に備えられている。図６の状態は、ピストン軸６２６が矢印Ｂ１方向に最も移動して、上死点に位置する状態である。シリンダ６２４内部には、ゴム部材であるシリンダシール６２７が配設・固定されており、ピストン軸６２６は、その外周部をシリンダシール６２７に摺接させながら移動する。シリンダ６２４には、記録部４００の記録ヘッド（不図示）の吐出口からインクを吸引（吸引回復動作）するための吸引口６３０が設けられている。回復部６００には、記録ヘッドの吐出口をキャッピングするキャップ（不図示）が備えられており、そのキャップの内部と吸引口６３０内がチューブ（不図示）によって接続されている。また、シリンダ６２４には排出口６３１が設けられている。ピストン軸６２６には、ゴム部材であるピストン６２５が取り付けられている。ピストン６２５の外周部はシリンダ６２４の内周部に摺接移動可能であり、またピストン６２５の内周部は、ピストン軸６２６の外周部に対して所定量の間隙を生じるように遊嵌されている。ピストン６２５によって分割されたシリンダ６２４内の空間は、第１チャンバ６２８と第２チャンバ６２９となる。
【００３０】
ピストン軸６２６には、閉フランジ部６３２が一体的に構成されている。その閉フランジ部６３２の外径は、シリンダ６２４の内径よりも小さく、かつピストン６２５の内径よりも大きい。また、ピストン６２５を挟んで開フランジ部６３３の反対側のピストン軸６２６上には、ピストン６２５と対向するピストンストッパ部６３４が一体的に構成されている。そのピストンストッパ部６３４の外径は、シリンダ６２４の内径よりも小さく、かつピストン６２５の内径よりも大きい。さらに、ピストンストッパ部６３４には、ピストン６２５の内周部とピストン軸６２６との間の隙間から第１チャンバ６２８の空間につながる連通溝が複数形成されている。
【００３１】
図７は、ピストン軸６２６が図６の状態から矢印Ａ１方向に移動して、ピストン６２５が吸引口６３０の位置を過ぎた状態の断面図である。ピストン軸６２６がＡ１方向に移動することにより、ピストン６２５は閉フランジ部６３２に密着し、第１チャンバ６２８と第２チャンバ６２９は隔離された状態となる。そして、第１チャンバ６２８は圧縮されることにより正圧を発生し、その内部のインク（不図示）等が排出口６３１から排出される。また、第２チャンバ６２９は膨張することにより負圧を発生し、吸引口６３０を通して、記録ヘッドの吐出口から画像の記録に寄与しないインクを吸引（吸引回復処理）する。
【００３２】
図８は、ピストン軸６２６が図７の状態からさらに矢印Ａ１方向に最も移動して、ピストン６２５が下死点に到達した状態の断面図である。このとき、第１チャンバ６２８の容積は最小となり、かつ第２チャンバ６２９の容積は最大となって、吸引および排出動作は終了する。
【００３３】
図９は、ピストン軸６２６が図８の下死点の状態から矢印Ｂ１方向に少し移動したときの断面図である。
【００３４】
ピストン軸６２６がＢ１方向に移動したとき、ピストン６２５はシリンダ６２４の内周部との間の摩擦のために直ちには動かず、ピストンストッパ部６３４と密着する。これにより、第１チャンバ６２８と第２チャンバ６２９は、ピストン軸６２６の外周部とピストン６２５の内周部との間の隙間と、連通溝によって連通される。そのまま、ピストン軸６２６が矢印Ｂ１方向にさらに移動することにより、第１チャンバ６２８が膨張して負圧を発生し、第２チャンバ６２９が圧縮されて正圧を発生する。吸引口６３０の流抵抗は、ピストン軸６２６の外周部とピストン６２５の内周部との間の隙間から連通溝に通じる空間の流抵抗よりも大きく設定しておく。そのため、第１，第２チャンバ６２８，６２９内の圧力差により、第２チャンバ６２９内の吸引済のインクは、ピストン軸６２６の外周部とピストン６２５の内周部との間の隙間から連通溝を通って第１チャンバ６２８内に流れ込む。
【００３５】
このように、ピストン軸６２６が矢印Ａ１、Ｂ１方向に往復移動することにより、吸引口６３０からインクを吸引し、そのインクを第２チャンバ６２９から第１チャンバ６２８を経由して排出口６３１から排出することができる。
【００３６】
（他の実施形態）
回復部６００は、記録ヘッドの機能を維持するための回復処理として、記録ヘッドの吐出口から画像の記録に寄与しないインクを吸引排出する吸引回復処理の他、記録ヘッド吐出口付近を除去するためのワイピング、記録ヘッド内のインクを加圧して画像の記録に寄与しないインクを吐出口から排出させる回復処理、および記録ヘッドの吐出口から画像の記録に寄与しないインクを吐出させる予備吐出などを行うことができる。ピストンポンプ６４０は、このような回復処理において用いられる圧力（正圧および負圧）を供給するための圧力供給源として用いることができる。
【００３７】
また、溝６２６Ａと舟形６３８は、ピストン軸６２６の周部と制御環６３７の周部との対向位置に設けられればよく、上述した実施形態とは逆に、溝６２６Ａを制御環６３７側に設け、かつ舟形６３８をピストン軸６２６側に設けてもよい。また、制御環６３７の矢印ｂ方向の回転のみならず、その矢印ａ方向の回転によってもピストン軸２６２を往復動作させることができる。
【００３８】
また、インクジェット記録ヘッドとしては、電気熱変換体またはピエゾ素子などを用いてインクを吐出する種々の吐出方式の記録ヘッドを用いることができる。電気熱変換体を用いた場合には、それが発生する熱エネルギーによってインクを発泡させ、その発泡エネルギーによって吐出口からインク滴を吐出することができる。
【００３９】
また、本発明は、シリアルスキャンタイプの記録装置のみならず、フルラインタイプの記録装置にも適用することができる。
【００４０】
以下に、本発明の実施態様を列挙する。
【００４１】
［実施態様１］  回転体の回転力によって、ピストン軸を介してシリンダ内のピストンを往復動作させるピストンポンプにおいて、
前記ピストン軸は、その軸線を中心とする回転が不可能とし、
前記回転体は、前記ピストン軸の軸線を中心として回転可能とし、
前記ピストン軸の周部と前記回転体の周部との対向位置の一方に、一部が交差するように連続する螺旋状の溝を設け、かつ他方に、前記溝と相対移動可能に嵌合する突起を設けることにより、前記回転体の少なくとも一方向の回転運動を前記ピストン軸の往復直線運動する変換する
ことを特徴とするピストンポンプ。
【００４２】
［実施態様２］  前記回転体の定位置に、前記ピストン軸の軸線とほぼ直交する軸線を中心として回動可能な舟形部材を取り付け、
前記突起を前記舟形部材に設けたことを特徴とする実施態様１に記載のピストンポンプ。
【００４３】
［実施態様３］  回転駆動される駆動体と、
前記駆動体の一方向の回転力を前記回転体に伝達するクラッチ機構と、
を備えたことを特徴とする実施態様１または２に記載のピストンポンプ。
【００４４】
［実施態様４］  前記クラッチ機構は、前記駆動体の一方向の回転によってしめられて回転力を伝達し、かつ前記駆動体の他方向の回転によって緩められて回転力を伝達しないばねを備えることを特徴とする実施態様３に記載のピストンポンプ。
【００４５】
［実施態様５］  回転駆動される駆動体と、
前記駆動体の回転力を前記回転体に伝達する伝達機構と、
を備え、
前記伝達機構は、前記駆動体が回転方向を変化させた後に所定量回転するまでは、前記駆動体の回転力を前記回転体に伝達しない不感帯をもつ
ことを特徴とする実施態様１から４のいずれかに記載のピストンポンプ。
【００４６】
［実施態様６］  記録ヘッドを用いて被記録媒体に画像を記録する記録装置において、
導入した圧力を利用して、前記記録ヘッドの機能を維持するための回復処理を行う回復手段を備え、
前記回復手段において利用される圧力の供給源として、実施態様１から５のいずれかに記載のピストンポンプを備える
ことを特徴とする記録装置。
【００４７】
［実施態様７］  前記記録ヘッドは、吐出口からインクを吐出可能なインクジェット記録ヘッドであり、
前記回復手段は、導入した負圧を利用して、前記インクジェット記録ヘッドの吐出口から画像の記録に寄与しないインクを吸引排出させる吸引回復機能をもち、
前記ピストンポンプは、前記回復手段において利用される負圧を発生する
ことを特徴とする実施態様６に記載の記録装置。
【００４８】
［実施態様８］  搬送ローラの回転力によって前記被記録媒体を搬送するための搬送手段を備え、
前記ピストンポンプは、前記搬送ローラの回転力によって駆動される
ことを特徴とする実施態様６または７に記載の記録装置。
【００４９】
［実施態様９］  前記ピストンポンプのピストン軸は、前記搬送ローラの回転軸線上に配置されることを特徴とする実施態様６から８のいずれかに記載の記録装置。
【００５０】
［実施態様１０］  前記搬送ローラは、前記被記録媒体を記録動作位置から排出方向に搬送するためのローラであることを特徴とする実施態様８または９に記載の記録装置。
【００５１】
［実施態様１１］  前記記録ヘッドは、電気熱変換体から発生する熱エネルギーを利用して吐出口からインクを吐出可能なインクジェット記録ヘッドであることを特徴とする実施態様６から１０のいずれかに記載の記録装置。
【００５２】
［実施態様１２］  導入した圧力を利用して、記録ヘッドの機能を維持するための回復処理を行う回復処理装置において、
前記回復処理に利用される圧力の供給源として、実施態様１から５のいずれかに記載のピストンポンプを備える
ことを特徴とする回復処理装置。
【００５３】
［実施態様１３］  前記記録ヘッドは、吐出口からインクを吐出可能なインクジェット記録ヘッドであり、
前記回復処理は、導入した負圧を利用して、前記インクジェット記録ヘッドの吐出口から画像の記録に寄与しないインクを吸引排出させる吸引回復処理を含み、
前記ピストンポンプは、前記吸引回復処理に利用される負圧を発生する
ことを特徴とする実施態様１２に記載の回復処理装置。
【００５４】
【発明の効果】
以上説明したように、本発明は、ピストン軸に設けられた連続する螺旋状の溝に、回転体に設けられた突起を嵌合させることにより、回転体の回転運動をピストン軸の直線運動に変換するための機構を簡易に構成することができる。この結果、特に、小型化および携帯性が求められる記録装置において、記録ヘッドの機能を維持するための回復処理に用いて好適なピストンポンプを提供することができる。
【図面の簡単な説明】
【図１】本発明の一実施形態のピストンポンプを備えたプリンタ本体の斜視図である。
【図２】図１におけるピストンポンプの取り付け部分の斜視図である。
【図３】図２におけるピストンポンプの取り付け部分の一部切欠きの斜視図である。
【図４】図３におけるピストン部分の斜視図である。
【図５】図３におけるピストン部分の斜視図である。
【図６】図１におけるピストンポンプのシリンダ部分の一部切り欠きの斜視図である。
【図７】図６におけるピストン軸が移動したときの断面図である。
【図８】図７におけるピストン軸がさらに移動して、ピストンが下死点に到達したときの断面図である。
【図９】図８におけるピストン軸が上死点方向に移動したときの断面図である。
【図１０】従来のチューブポンプの構成例を説明するための一部切欠きの斜視図である。
【図１１】従来のピストンポンプにおける運動変換機構部分の一例を説明するための斜視図である。
【図１２】従来のピストンポンプにおける運動変換機構部分の他の例を説明するための斜視図である。
【図１３】従来のピストンポンプにおける運動変換機構部分のさらに他の例を説明するための断面図である。
【符号の説明】
１  コロホルダ
２  コロ
３  チューブガイド
４  チューブ
５  カム
６  突起部
７  スクリュー溝
スクリュー用カム  ８
１００  自動給紙部
２００  搬送部
２０６  ＬＦモータ
３００  排出部
３０１  排紙ローラ
４００  記録部
６００  回復部
６２４  シリンダ
６２５  ピストン
６２６  ピストン軸
６２７  シリンダシール
６２８  第一チャンバ
６２９  第二チャンバ
６３０  吸引口
６３１  排出口
６３２  閉フランジ部
６３３  開フランジ部
６３４  ピストンストッパ部
６３５  クラッチばね
６３６  ポンプ遅延カラー
６３７  制御環
６３８  舟形
６３９  スリーブ
６４０  ピストンポンプ
６４６  舟形ストッパ
６４８  補助クラッチばね
６５１  ピストンピン
７０１  シャーシ
【図１】
2004232609.tif 000003
【図２】
2004232609.tif 000004
【図３】
2004232609.tif 000005
【図４】
2004232609.tif 000006
【図５】
2004232609.tif 000007
【図６】
2004232609.tif 000008
【図７】
2004232609.tif 000009
【図８】
2004232609.tif 000010
【図９】
2004232609.tif 000011
【図１０】
2004232609.tif 000012
【図１１】
2004232609.tif 000013
【図１２】
2004232609.tif 000014
【図１３】
2004232609.tif 000015